(57)【特許請求の範囲】
【請求項１】
所定のサーボパターンが所定間隔で配置された複数のサーボエリアを有し該サーボエリア間をデータエリアとして用いる円盤状記録媒体に記録手段で所望の記録データを記録する円盤状記録媒体の記録装置において、
所定の記録単位毎に記録されるリファレンスパターンを形成して上記記録手段に供給するリファレンスパターン形成手段と、
記録データのデータパターンを形成して上記記録手段に供給するデータパターン形成手段と、
上記リファレンスパターン形成手段において上記リファレンスパターンが形成されているときには、上記データパターン形成手段を停止状態とし、上記データパターン形成手段で記録データのデータパターンが形成されているときには、上記リファレンスパターン形成手段を停止状態とする制御手段と、
上記円盤状記録媒体に所定間隔毎に設けられており、予め位置情報が記録されている位置情報記録エリアを検出する位置情報記録エリア検出手段と、
上記円盤状記録媒体にデータを記録する際に利用され、上記位置情報に同期したシステムクロックを出力するシステムクロック出力手段を有し、
上記制御手段は、
上記位置情報記録エリア検出手段からの検出出力に基づいて、上記位置情報記録エリア毎に上記記録手段を停止状態とし、
上記円盤状記録媒体に上記記録手段により実際に記録を行っていないときには、上記システムクロック出力手段を停止状態とすることを特徴とする円盤状記録媒体の記録装置。
【請求項２】
上記リファレンスパターン形成手段は、所定の第１のリファレンスパターンを形成する第１のリファレンスパターン形成手段、及び、所定の第２のリファレンスパターンを形成する第２のリファレンスパターン形成手段で構成されており、
上記制御手段は、上記データパターン形成手段で記録データのデータパターンが形成されており、上記第１のリファレンスパターン形成手段で第１のリファレンスパターンが形成されているときには上記第２のリファレンスパターン形成手段を停止状態とし、上記第２のリファレンスパターン形成手段で第２のリファレンスパターンが形成されているときには上記第１のリファレンスパターン形成手段を停止状態となるように制御することを特徴とする請求項１記載の円盤状記録媒体の記録装置。
【請求項３】
所定のサーボパターンが所定間隔で配置された複数のサーボエリアと、所定のリファレンスパターンが所定の記録単位毎に記録されたリファレンスエリアとを有する円盤状記録媒体から、該サーボエリア間のデータエリアに記録された再生データを再生手段により再生する円盤状記録媒体の再生装置であって、
上記リファレンスエリアから再生されたリファレンスパターンを検出するリファレンスパターン検出手段と、
上記リファレンスパターン検出手段で検出されたリファレンスパターンに基づいて上記再生データを検出するデータ検出手段と、
上記リファレンスパターン検出手段でリファレンスパターンの検出が行われているときには上記データ検出手段を停止状態とし、上記データ検出手段で再生データの検出が行われているときには上記リファレンスパターン検出手段を停止状態とする制御手段と、
上記円盤状記録媒体に所定間隔毎に設けられており、予め位置情報が記録されている位置情報記録エリアを検出する位置情報記録エリア検出手段と、
上記円盤状記録媒体からデータを再生する際に利用され、上記位置情報に同期したシステムクロックを出力するシステムクロック出力手段を有し、
上記制御手段は、
上記位置情報記録エリア検出手段からの検出出力に基づいて、上記位置情報記録エリア毎に上記再生手段を停止状態とし、
上記円盤状記録媒体に上記再生手段により実際に再生を行っていないときには、上記システムクロック出力手段を停止状態とすることを特徴とする円盤状記録媒体の再生装置。
【請求項４】
上記円盤状記録媒体には、上記リファレンスパターンとして、それぞれ異なる所定の第１，第２のリファレンスパターンが記録されており、
上記リファレンスパターン検出手段は、上記第１のリファレンスパターンを検出する第１のリファレンスパターン検出手段及び上記第２のリファレンスパターンを検出する第２のリファレンスパターン検出手段で構成されており、
上記制御手段は、上記第１のリファレンスパターン検出手段で第１のリファレンスパターンの検出が行われているときには、上記データ検出手段と共に第２のリファレンスパターン検出手段を停止状態とし、上記第２のリファレンスパターン検出手段で第２のリファレンスパターンの検出が行われているときには、上記データ検出手段と共に第１のリファレンスパターン検出手段を停止状態とすることを特徴とする請求項３記載の円盤状記録媒体の再生装置。
【発明の詳細な説明】
【０００１】
【産業上の利用分野】
本発明は、いわゆるサンプルサーボ方式を採用する磁気ディスク，光磁気ディスク，コンパクトディスク，ライトワンス等の円盤状記録媒体の記録装置，再生装置或いは記録再生装置に設けて好適な円盤状記録媒体の記録装置及び再生装置に関し、特に必要な動作を行っている箇所以外は、停止状態に制御することにより、消費電力の削減等を図った円盤状記録媒体の記録装置及び再生装置に関する。
【０００２】
【従来の技術】
今日において、いわゆるサンプルサーボ方式の光ディスクが知られている。このサンプルサーボ方式の光ディスクには、所定間隔毎に所定のサーボパターンが記録トラック上に設けられており、このサーボパターンの再生信号に基づいてサーボ制御を行いながらサーボパターンとサーボパターンとの間に記録データを記録再生するようになっている。
【０００３】
ここで、高度情報社会を指向するマルチメディアの進展で、光ディスクの小型化及び低コスト化と共に、いっそうの高性能化，大容量化が求められている。大容量化を図るためには、ディスクの記録可能領域に制限があるため、線密度及びトラック密度を向上させる必要があるが、記録密度を高くすると、目的ピットの再生信号に隣接ピットによる符号間干渉が生ずるため、再生アイパターンの開口率が低下し、データを読み誤る確立が高くなる。
【０００４】
このため、符号間干渉を積極的に利用して記録密度を向上させるとともに、正確なデータ再生を可能とするパーシャルレスポンス及びビタビ復号を用いた信号処理技術等が用いられる。
【０００５】
また、データを記録する際に、メディアの感度のバラツキや温度特性等によるレーザパワーの変動により、記録位置がずれてしまうことがある。このため、データと共に参照データを記録し、再生時には、この参照データに基づいて再生クロックの位相を補償してデータの再生を行う信号処理技術等が用いられる。
【０００６】
【発明が解決しようとする課題】
このように、記録密度が向上するにつれ、信号処理が複雑化するため、必然的に回路規模も大きくなり、また、消費電力を増えてくる。近年においては、ディスクドライブの低消費電力化という要求が強く重要な課題となっている。
【０００７】
本発明は、上述の問題点に鑑みてなされたものであり、ディスクドライブの低消費電力化を図ることができるような円盤状記録媒体の記録装置及び再生装置の提供を目的とする。
【０００８】
本発明に係る円盤状記録媒体の記録装置は、所定のサーボパターンが所定間隔で配置された複数のサーボエリアを有し該サーボエリア間をデータエリアとして用いる円盤状記録媒体に記録部で所望の記録データを記録する円盤状記録媒体の記録装置である。そして、所定の記録単位毎に記録されるリファレンスパターンを形成して記録部に供給するリファレンスパターン形成部と、記録データのデータパターンを形成して記録部に供給するデータパターン形成部と、リファレンスパターン形成部においてリファレンスパターンが形成されているときには、データパターン形成部を停止状態とし、データパターン形成部で記録データのデータパターンが形成されているときには、リファレンスパターン形成部を停止状態となるように制御する制御部と、円盤状記録媒体に所定間隔毎に設けられており、予め位置情報が記録されている位置情報記録エリアを検出する位置情報記録エリア検出部と、円盤状記録媒体にデータを記録する際に利用され、該位置情報に同期したシステムクロックを出力するシステムクロック出力部を有し、制御部は、位置情報記録エリア検出部からの検出出力に基づいて、位置情報記録エリア毎に記録部を停止状態とし、円盤状記録媒体に記録部により実際に記録を行っていないときには、システムクロック出力部を停止状態とする。
【０００９】
また、本発明に係る円盤状記録媒体の記録装置は、リファレンスパターン形成部は、所定の第１のリファレンスパターンを形成する第１のリファレンスパターンを形成する第１のリファレンスパターン形成部、及び、所定の第２のリファレンスパターンを形成する第２のリファレンスパターンを形成する第２のリファレンスパターン形成部で構成されており、制御部は、データパターン形成部で記録データのデータパターンが形成されているときにおいて、第１のリファレンスパターン形成部で第１のリファレンスパターンが形成されているときには第２のリファレンスパターン形成部を停止状態とし、第２のリファレンスパターン形成部で第２のリファレンスパターンが形成されているときには第１のリファレンスパターン形成部を停止状態となるように制御する。
【００１２】
また、本発明に係る円盤状記録媒体の再生装置は、所定のサーボパターンが所定間隔で配置された複数のサーボエリアと、所定のリファレンスパターンが所定の記録単位毎に記録されたリファレンスエリアとを有する円盤状記録媒体から、該サーボエリア間のデータエリアに記録された再生データを再生部により再生する円盤状記録媒体の再生装置である。そして、リファレンスエリアから再生されたリファレンスパターンを検出するリファレンスパターン検出部と、リファレンスパターン検出部で検出されたリファレンスパターンに基づいて再生データを検出するデータ検出部と、リファレンスパターン検出部でリファレンスパターンの検出が行われているときにはデータ検出部を停止状態とし、データ検出部で再生データの検出が行われているときにはリファレンスパターン検出部を停止状態とする制御部と、円盤状記録媒体に所定間隔毎に設けられており、予め位置情報が記録されている位置情報記録エリアを検出する位置情報記録エリア検出部と、円盤状記録媒体からデータを再生する際に利用され、該位置情報に同期したシステムクロックを出力するシステムクロック出力部を有し、制御部は、位置情報記録エリア検出部からの検出出力に基づいて、位置情報記録エリア毎に再生部を停止状態とし、円盤状記録媒体に再生部により実際に再生を行っていないときには、システムクロック出力部を停止状態とする。
【００１３】
また、本発明に係る再生装置は、円盤状記録媒体には、リファレンスパターンとして、それぞれ異なる所定の第１，第２のリファレンスパターンが記録されており、リファレンスパターン検出部は、第１のリファレンスパターンを検出する第１のリファレンスパターン検出部及び第２のリファレンスパターンを検出する第２のリファレンスパターン検出部で構成されており、制御部は、第１のリファレンスパターン検出部で第１のリファレンスパターンの検出が行われているときには、データ検出部と共に第２のリファレンスパターン検出部を停止状態とし、第２のリファレンスパターン検出部で第２のリファレンスパターンの検出が行われているときには、データ検出部と共に第１のリファレンスパターン検出部を停止状態とする。
【００１５】
【作用】
本発明に係る円盤状記録媒体の記録装置は、いわゆるサンプルサーボ方式の円盤状記録媒体の記録装置であり、リファレンスパターン形成手段が、所定の記録単位毎に記録されるリファレンスパターンを形成する。また、データパターン形成手段が、記録データのデータパターンを形成する。そして、記録手段が、上記リファレンスパターン及びデータパターンを円盤状記録媒体に記録する。
【００１６】
この際、制御手段は、上記リファレンスパターン形成手段において上記リファレンスパターンが形成されているときには、上記データパターン形成手段を停止状態とし、上記データパターン形成手段で記録データのデータパターンが形成されているときには、上記リファレンスパターン形成手段を停止状態とする。
【００１７】
具体的には、上記リファレンスパターン形成手段は、所定の第１のリファレンスパターンを形成する第１のリファレンスパターン形成手段、及び、所定の第２のリファレンスパターンを形成する第２のリファレンスパターン形成手段で構成されている。このため、上記制御手段は、上記データパターン形成手段で記録データのデータパターンが形成されているときにおいて、第１のリファレンスパターン形成手段で第１のリファレンスパターンが形成されているときには上記第２のリファレンスパターン形成手段を停止状態とし、第２のリファレンスパターン形成手段で第２のリファレンスパターンが形成されているときには上記第１のリファレンスパターン形成手段を停止状態とする。
【００１８】
また、上記円盤状記録媒体には予め位置情報が記録されている位置情報記録エリアが所定間隔毎に設けられている。この位置情報記録エリアには記録データの記録は行わない。このため、上記制御手段は、位置情報記録エリア検出手段で検出される位置情報記録エリア毎に上記記録手段を停止状態とする。
【００１９】
また、当該円盤状記録媒体の記録装置には、記録に必要なシステムクロックを出力するシステムクロック出力手段が設けられている。このシステムクロック出力手段は、実際に記録を行っていないときにはシステムクロックを出力する必要はない。このため、上記制御手段は、非記録時には上記システムクロック出力手段を停止状態とする。
【００２０】
次に、本発明に係る円盤状記録媒体の再生装置は、いわゆるサンプルサーボ方式に対応しており、リファレンスパターン検出手段が、再生された上記リファレンスパターンを検出し、これをデータ検出手段に供給する。データ検出手段は、上記リファレンスパターンに基づいて再生データを再生する。
【００２１】
ここで、上記データ検出手段は、リファレンスパターンに基づいて再生データの再生を行うため、上記リファレンスパターン検出手段でリファレンスパターンが検出されるまでデータの再生を行うことができない。このため、上記制御手段は、上記リファレンスパターン検出手段でリファレンスパターンの検出が行われているときは、上記データ検出手段を停止状態とする。また、上記リファレンスパターンは、円盤状記録媒体に所定の記録単位毎に記録されているため、一旦検出されると次のリファレンスパターンの検出時まで必要がない。このため、上記制御手段は、上記データ検出手段で再生データの再生が行われているときには、上記リファレンスパターン検出手段を停止状態とする。
【００２２】
具体的には、上記円盤状記録媒体には、上記リファレンスパターンとして、それぞれ異なる所定の第１，第２のリファレンスパターンが記録されており、また、上記リファレンスパターン検出手段は、上記第１のリファレンスパターンを検出する第１のリファレンスパターン検出手段及び上記第２のリファレンスパターンを検出する第２のリファレンスパターン検出手段で構成されている。このため、上記制御手段は、上記第１のリファレンスパターン検出手段で第１のリファレンスパターンの検出が行われているときには、上記データ検出手段と共に第２のリファレンスパターン検出手段を停止状態とし、上記第２のリファレンスパターン検出手段で第２のリファレンスパターンの検出が行われているときには、上記データ検出手段と共に第１のリファレンスパターン検出手段を停止状態とする。さらに、当該円盤状記録媒体の再生装置には、再生に必要なシステムクロックを出力するシステムクロック出力手段が設けられている。このシステムクロック出力手段は、実際に再生を行っていないときにはシステムクロックを出力する必要はない。このため、上記制御手段は、非再生時には上記システムクロック出力手段を停止状態とする。
【００２３】
【実施例】
以下、本発明に係る円盤状記録媒体の記録装置及び再生装置の実施例について、図面を参照しながら詳細に説明する。
【００２４】
本発明に係る円盤状記録媒体の記録装置及び再生装置は、いわゆるサンプルサーボ方式に対応して動作するものであり、図１に示すように記録を指定するための記録指定コマンド及び再生を指定するための再生指定コマンドを受信するコマンド受信部１と、円盤状記録媒体に記録するための記録データを形成する記録データ形成部２と、円盤状記録媒体からの再生データを再生するデータ再生部３と、必要なクロックを形成して出力するタイミングジェネレータ（ＴＧ）４と、必要に応じて上記記録データ形成部２，データ再生部３及びタイミングジェネレータ４に供給するクロックを停止すること各部を停止状態に制御するクロックコントローラ５とで構成されている。
【００２５】
上記記録データ形成部２は、記録レーザパワーの変動等によるＤＣ的な記録位置ずれを再生時に位相補償するためのリファレンスパターンである２Ｔパターンを生成する２Ｔパターン生成部６と、パーシャルレスポンスによる３値検出の際に用いる閾値を設定するための８Ｔパターンを生成する８Ｔパターン生成部７と、記録データのデータパターンを生成するデータパターン生成部８とで構成されている。
【００２６】
また、上記データ再生部３は、再生時に得られた上記２Ｔパターンを検出する２Ｔパターン処理部１０と、再生時に得られた上記８Ｔパターンを検出する８Ｔパターン処理部１１と、上記２Ｔパターン処理部１０及び８Ｔパターン処理部１１で検出された２Ｔパターン及び８Ｔパターンに基づいて再生データを再生するデータ検出部１２とで構成されている。
【００２７】
このような構成を有する本実施例に係る円盤状記録媒体の記録装置及び再生装置は、図２に示すようなサンプルサーボ方式に従って光磁気ディスク２５に記録データの記録再生を行う光磁気ディスク記録再生装置に適用することができる。
【００２８】
この光磁気ディスク記録再生装置は、ディスクドライブ２１及び制御ブロック２２で構成されている。そして、ＳＣＳＩバス２４を介して接続されるホストコンピュータ２３との間でコマンド及びデータの送受信が行われるようになっている。
【００２９】
上記ディスクドライブ２１は、光磁気ディスク２５を例えば角速度一定で回転駆動するスピンドルモータ２６と、上記スピンドルモータ２６を回転駆動するスピンドルドライバ２７と、上記光磁気ディスク２５を当該ディスクドライブ２１内に装着するローディング機構２８と、上記光磁気ディスク２５にレーザビームを照射するピックアップ２９と、上記光磁気ディスク２５に照射するためのレーザビームを出射するレーザダイオード３０と、データの記録時には一定の記録レベルのレーザビームが出射されるように、また、データの再生時には一定の再生レベルのレーザビームが出射されるように上記レーザダイオード３０を発光駆動するレーザドライバ３１とを有している。
【００３０】
また、上記ディスクドライブ２１は、上記光磁気ディスク２５にレーザビームを照射することにより生ずる反射光を受光してＲＦ信号，トラッキングエラー信号，フォーカスエラー信号等を形成するフォトディテクタ３２と、上記フォトディテクタ３２から電流のかたちで供給される上記ＲＦ信号等を電圧のかたちに変換するとともに、これらを所定の利得で増幅して出力する電流−電圧変換ブロック（Ｉ−Ｖ変換ブロック）３３と、データの記録時にデータに応じた変調磁界を上記光磁気ディスク２５に印加する磁気ヘッド３４と、記録するデータに応じて上記磁気ヘッド３４を駆動する磁気ヘッドドライバ３５とを有している。
【００３１】
次に、上記制御ブロック２２は、データ処理ブロック４５及びサーボ制御ブロック４６をデジタル・シグナル・プロセッサ用バス（ＤＳＰバス）４２及び中央演算処理回路用バス（ＣＰＵバス）５４を介してコントローラ４１に接続することにより構成されている。なお、上記ホストコンピュータ２３は、上記ＳＣＳＩバス２４を介してこのコントローラ４１に接続されている。
【００３２】
上記データ処理ブロック４５は、上記光磁気ディスク２５に照射されるレーザビームの往路で検出したレーザレベルに応じて該光磁気ディスク２５に照射されるレーザビームのレーザレベルが一定となるように制御（フロント・オート・パワー・コントロール：ＦＡＰＣ）するためのＦＡＰＣデータが供給される入出力ブロック（Ｉ／Ｏブロック）４３と、このＦＡＰＣデータをアナログ化して上記レーザドライバ３１に供給するＤ／Ａ変換器４４とを有している。
【００３３】
また、上記データ処理ブロック４５は、上記ディスクドライブ２１のＩ−Ｖ変換ブロック３３からの光磁気信号（ＭＯ信号）及びＲＦ信号をサーボ系タイミングジェネレータ（ＳＴＧ）５２からのサーボ制御系用のタイミングクロックに基づいて選択及びクランプ処理するセレクタ＆クランプ回路４７と、サーボクロックを生成するフェーズ・ロックド・ループ構成のサーボクロック生成回路（ＳＰＬＬ）４９と、データクロックを生成するフェーズ・ロックド・ループ構成のデータクロック生成回路（ＤＰＬＬ）５０とを有している。
【００３４】
また、上記データ処理ブロック４５は、上記ＳＴＧ５２からのタイミングクロックに基づいて、上記サーボクロック或いはデータクロックを選択するクロックセレクタ５１と、上記セレクタ＆クランプ回路４７からのＲＦ信号或いはＭＯ信号を、上記クロックセレクタ５１により選択されたクロックでデジタル化するＡ／Ｄ変換器４８とを有している。
【００３５】
また、上記データ処理ブロック４５は、上記ＤＰＬＬ５０からのデータクロックに基づいてデータ処理用のタイミングクロックを形成するデータ系タイミングジェネレータ（ＤＴＧ）５５と、上記ＤＰＬＬ５０からのデータクロック或いはＤＴＧ５５からのデータ処理用のタイミングクロックに基づいて記録するデータを上記磁気ヘッドドライバ３５に供給するとともに、再生されたデータを上記コントローラ４１を介してホストコンピュータ２３に供給する記録再生回路５６とを有している。
【００３６】
次に、上記サーボ制御ブロック４６は、上記ディスクドライブ２１のＩ／Ｖ変換ブロック３３からのフォーカスエラー信号，ＦＡＰＣ信号及びトラッキングエラー信号を選択して出力するマルチプレクサ６１と、上記マルチプレクサ６１からの各信号を上記ＳＰＬＬ４９からのサーボクロックに基づいてデジタル化するＡ／Ｄ変換器６２と、このＡ／Ｄ変換された各データが供給されるＩ／Ｏブロック６３と、当該光磁気ディスク記録再生装置のデジタル信号処理を行うデジタル・シグナル・プロセッサ（ＤＳＰ）６７とを有している。
【００３７】
また、上記サーボ制御ブロック４６は、上記ディスクドライブ２１のスピンドルモータ２６を回転制御するための制御データが入出力されるＩ／Ｏブロック６６と、上記ピックアップ２９のフォーカシング，トラッキング等を制御するピックアップドライバ６４と、上記ピックアップドライバ６４をパルス幅変調駆動するパルス幅変調回路（ＰＷＭ回路）６５とを有している。
【００３８】
そして、この光磁気ディスク記録再生装置は、上述の図１に示した本実施例に係る円盤状記録媒体の記録装置及び再生装置を有している。
【００３９】
次に、この光磁気ディスク記録再生装置に用いられる上記光磁気ディスク２５は、例えば図３に示すようにトラック１周が１４００のセグメントに分割されており、そのセグメントはアドレスセグメントＡＳＥＧとデータセグメントＤＳＥＧに分割されている。
【００４０】
上記アドレスセグメントＡＳＥＧには、ディスクのラジアル方向の位置情報とタンジェンシャル方向の位置情報がプリピットとして記録されている。また、このアドレスセグメントＡＳＥＧは、１４セグメントおきにトラック１周で１００個存在するように設けられており、アドレスセグメントＡＳＥＧから次のアドレスセグメントＡＳＥＧまでの間が１フレームとなっている。また、このアドレスセグメントＡＳＥＧは、トラック１周で１００フレーム分存在するようになっており、上記アドレスセグメントＡＳＥＧの間の１３セグメントがデータセグメントＤＳＥＧとなっている。
【００４１】
上記データセグメントＤＳＥＧは１周で１３００セグメント存在するように設けられている。また、この１セグメントは、２１６サーボロックで構成され、２４サーボクロック分のサーボエリアＡＲｓと１９２サーボクロック分のデータエリアＡＲｄとで形成されている。
【００４２】
なお、上記アドレスセグメントＡＳＥＧの場合、上記データエリアＡＲｄがアドレスエリアＡＲｄａとレーザ制御エリアＡＲｄｂとで形成されている。
【００４３】
次に、上記サーボエリアＡＲｓには、例えば図４に示すように、それぞれ２サーボクロック分の長さの３個のピットＰＡ  ，ＰＢ  ，ＰＣ  が５サーボクロック以上離されて予め記録されているとともに、６クロック分のフォーカスサンプルエリアＡＲｆｓが設けられている。このように、サーボエリアＡＲｓのピットＰＡ  ，ＰＢ  ，ＰＣ  をそれぞれ２サーボクロック分の長さとすることにより、ミラー部分が少なくなり、成型コンディションによってディスクに発生するゴーストピット等を発生し難くしてピットの生成の困難性を軽減することができ、サーボ信号を安定に生成することを可能とすることができる。また、各ピットＰＡ  ，ＰＢ  ，ＰＣ  を５サーボクロック以上離して設けることにより、ピット間の干渉を極めて小さくすることができる。
【００４４】
上記サーボエリアＡＲｓの１１〜１２クロック期間に位置する第２ピットＰＢ  及び１６〜１７クロック期間に位置する第３ピットＰＣ  は、それぞれトラックのセンタに対して±１／４トラック分だけ偏位して設けられたウォブルピットとなっている。
【００４５】
当該光磁気ディスク記録再生装置は、上記各ピットＰＢ  ，ＰＣ  の再生出力の振幅値の差分に基づいてトラッキングエラーを検出し、また、該各ピットＰＢ  ，ＰＣ  の再生出力の両エッジ部分の振幅値の差分に基づいてクロック位相を制御するようになっている。また、この位相情報を加算してクロック位相制御を行うことにより、トラッキング状態に影響されない正確なクロック位相制御を行うようになっている。
【００４６】
上記サーボエリアＡＲｓの始めにある第１ピットＰＡ  は、そのセグメントが、アドレスセグメントＡＳＥＧであるか、又は、データセグメントＤＳＥＧであるかを示すように、或いは、そのセグメントが、セクタの先頭であるか次のセグメントがセクタの先頭であるかを示すようになっている。
【００４７】
具体的には、この第１ピットＰＡ  が、６クロック期間に位置するように記録されている場合、そのセグメントは、データセグメントＤＳＥＧであることを示し、３〜４クロック期間に位置するように記録されている場合、そのセグメントは、アドレスセグメントＡＳＥＧであることを示すようになっている。また、上記第１ピットＰＡ  が、４〜５クロック期間に位置するように記録されている場合、そのセグメントは、セクタの先頭となるデータセグメントＤＳＥＧであることを示し、５〜６クロック期間に位置するように記録されている場合、次のセグメントがセクタの先頭となるデータセグメントＤＳＥＧであることを示し、アドレスセグメントＡＳＥＧであることを示すようになっている。
【００４８】
上記第１ピットＰＡ  により示される情報は、例えば図５に示すように、差分最大値検出である、いわゆるディファレンシャルディテクション法によって最大振幅値を取るポジションを調べることによって識別することができる。
【００４９】
このように、上記光磁気ディスク２５は、サーボエリアＡＲｓの始めに上記第１ピットＰＡ  が記録されているため、そのセグメントが、アドレスセグメントＡＳＥＧであるか、データセグメントＤＳＥＧであるかを判別することができ、或いは、セクタの先頭であるか次のセグメントがセクタの先頭であるかを判別することができ、セクタ単位のセクタナンバやトラックアドレスの記録を省略することができる。従って、この光磁気ディスク２５は、全体的にデータエリアの冗長度が軽減されている。
【００５０】
次に、上記アドレスセグメントＡＳＥＧには、図６に示すようにディスクのラジアル方向の位置の情報として１６ビットのトラックアドレス〔ＡＭ〕，〔Ａ２〕，〔Ａ３〕，〔ＡＬ〕とそのパリティ〔Ｐ〕からなるアクセスコード、さらに、タンジェンシャル方向の情報としてフレームアドレス〔ＦＭ〕，〔ＦＬ〕を示すフレームコードがそれぞれグレーコード化されてプリピットとして記録されている。
【００５１】
上記アクセスコードは、１６ビットのトラックアドレスが４ビットずつに分けられており、隣接するトラックのアクセスコードが１パターンしか変化しないように記録されている。
【００５２】
具体的には、上記４ビットの最下位ビットが「１」の場合、それに続く４ビットを、１の補数を取った値に対して、図６に示すグレーコードテーブルを用いてＡＭ＝１５〜１２ビット（ＭＳＮ）からＡ２＝１１〜８ビット（２ＳＮ），Ａ３＝７〜４ビット（３ＳＮ），ＡＬ＝３〜０ビット（ＬＳＮ）の順にテーブル変換することにより、隣接するトラックのアクセスコードが１パターンのみ変化するようにしている。なお、図７に、上記アクセスコードの一例を示す。
【００５３】
上記パリティコードとしては、アクセスコードの各ビット〔１５，１１，７，３〕，〔１４，１０，６，２〕，〔１３，９，５，１〕，〔１２，８，４，０〕毎の「１」の数が偶数のとき１となるパリティを取った結果が記録されている。
【００５４】
上記フレームコードは、アドレスセグメントＡＳＥＧのタンジェンシャル方向の番号を表す８ビットのフレームアドレスが４ビットずつにわけられており、その上位４ビットＦＭ＝７〜４ビット（ＭＳＮ）と下位４ビットＬＭ＝３〜０ビット（ＭＳＮ）が上述のアクセスコードと同じ方法でグレーコード化されて記録されている。このフレームコードは、８ビット分の情報の記録が可能であるが、本実施例の場合、上記アドレスセグメントＡＳＥＧの数が１００であるため、０〜９９までしか存在しないこととなる。
【００５５】
上記サーボエリアＡＲｓのフォーカスサンプルエリアＡＲｆｓは、ピットの変調を受けないようにするためにミラー部とされており、フォーカス，リードパワーＡＰＣ，ＲＦ信号のクランプなどを行う際に用いられる。これらの処理のための各種サンプルパルスの位置を正確に特定することは困難であり、±０．５クロック以下の変動が予想されるため、この変動が加わった場合でもピットの変調の影響を受けることなく確実にサンプリングできるように、そのスペースは６クロック分となっている。
【００５６】
次に、上記データセグメントＤＳＥＧのデータエリアＡＲｄは、図８に示すように、通常のデータを記録する１７６〜３７６データクロック分のデータエリアＡＲｄａと１２データクロック分のプリライトエリアＡＲｐｒと４データクロック分のポストライトエリアＡＲｐｓからなっている。
【００５７】
上記プリライトエリアＡＲｐｒは、レーザの照射からディスクが安定な温度になるまで予熱に必要な距離を確保するとともにＭＯ信号の複屈折などによるＤＣ変動を抑えるクランプエリアとして用いるために設けられている。
【００５８】
上記ポストライトエリアＡＲｐｓは、オーバーライトにより消し残りを無くすとともにグルーブエッジからの干渉を避ける距離を確保するために設けられている。
【００５９】
この光磁気ディスク２５は、出荷時に一方向にバルクイレーズすることにより、フォーマット動作を必要とすることなく使用可能となっている。そして、上記プリライトエリアＡＲｐｒ及びポストライトエリアＡＲｐｓは、バルクイレーズ方向と同じ極性のデータを記録することで、メディアの余熱不足により正常に記録されなくても安定した信号を得ることが可能となっている。
【００６０】
また、上記光磁気ディスク２５は、上記データエリアＡＲｄの部分にグルーブＧｒが形成されている。上記グルーブＧｒは、トラッキングをとるためのものではないため、その深さなどの精度は要求されない。そして、このグルーブＧｒを設けることにより、必要なミラー部を減らして、サーボピットへのディスク成型上の悪影響を軽減することができるようになっている。
【００６１】
なお、これは記録再生用の光磁気ディスク２５の場合であるが、再生専用のＲＯＭディスクの場合は、図９に示すように、上記データエリアＡＲｄの先頭部分に３クロック分のアンカーピットＰａｎを設けることにより、ミラー部を減らして、サーボピットへのディスク成型上の悪影響を軽減するようになっている。
【００６２】
次に、１データセクタは、リファレンスエリア６６バイト、ユーザデータ２０４８バイト（Ｄ０〜Ｄ２０４７）、ＥＣＣ２５６バイト（Ｅ１，１〜Ｅ１６，１６）、ＣＲＣ８バイト（ＣＲＣ１〜ＣＲＣ８）、ベンーダーユニーク８バイト（ＶＵ）、ユーザデファインド３２バイト（ＵＤ）の合計２４１８バイトで構成されている。
【００６３】
上記リファレンスエリアには図１０に示すように、４バイト分の８Ｔパターンと１２バイト分の２Ｔパターンを１ブロックとし、この１ブロックの固定パターンが４ブロック分記録され、さらに検出された情報を設定するための余裕分として２バイトのオール０パターンとで構成される６６バイト分の特定パターンが記録されている。
【００６４】
上記８Ｔパターンは、データ検出における３値レベル（高Ｈ・中Ｍ・低Ｌ）の設定に用いられ、２Ｔパターンは記録パワー変動等によるＤＣ的なピット位置のずれを再生時に補正するのに用いられる。
【００６５】
そして、上記データセグメントＤＳＥＧのデータエリアＡＲｄには、上記リファレンスエリア６６バイト以外のデータにスクランブルがかけられ、さらに、セグメント毎にＮＲＺＩ化されたデータが記録されている。
【００６６】
また、この光磁気ディスク２５は、いわゆるゾーンＣＡＶディスクであり、図１１及び図１２に示すように、外周側から７３６トラック分のＧＣＰバンド、２トラック分のバッファトラック、５トラック分のコントロールトラック、２トラック分のバッファトラック、５トラック分のテストトラック、８４８トラック分のユーザゾーン０、８６４トラック分のユーザゾーン１、８８０トラック分のユーザゾーン２、９１２トラック分のユーザゾーン３、９４４トラック分のユーザゾーン４、９７６トラック分のユーザゾーン５、１０２４トラック分のユーザゾーン６、１０５６トラック分のユーザゾーン７、１１２０トラック分のユーザゾーン８、１１８４トラック分のユーザゾーン９、１２１６トラック分のユーザゾーン１０、１２９６トラック分のユーザゾーン１１、１３９２トラック分のユーザゾーン１２、１４８８トラック分のユーザゾーン１３、１６９６トラック分のユーザゾーン１４、７７０トラック分のユーザゾーン１５、５トラック分のテストトラック、２トラック分のバッファトラック、５トラック分のコントロールトラック、２トラック分のバッファトラック、８２０トラック分のＧＣＰバンドからなっている。
【００６７】
ここで、ゾーン内のトラック数をＴＲＡＣｚｏｎｅとし、あるゾーンにおける１セクタに必要なデータセグメント数をＤＳＥＧｓｅｃｔ−ｚｏｎｅとし、１トラック当たりのデータセグメント数をＤＳＥＧｔｒａｃｋとして、ゾーン毎にセクタを完結させるとともにセクタ数を一定にした場合、ゾーン内のセクタ数ＳＣＴｚｏｎｅは、
ＳＣＴｚｏｎｅ＝ＴＲＡＣｚｏｎｅ・ＤＳＥＧｔｒａｃｋ／ＤＳＥＧｓｅｃｔ−ｚｏｎｅ
であり、
ＴＲＡＣｚｏｎｅ＝Ｋ・ＤＳＥＧｓｅｃｔ−ｚｏｎｅ
となるようにトラック数を決定すればよい。そして、Ｋの値として全体の容量に対してゾーンで割った１ゾーン当たりの容量に近くなるものを用いて決定されるセクタ数ＳＣＴｚｏｎｅを外周から割り当てていきそのゾーンの最内周部分の記録密度が所定の密度以下にならないようにクロック（Ｍ）を決定することにより全てのパラメータを得ることができるようになっている。
【００６８】
この場合、図１３に示すように、あるセグメントからセクタが開始すると１セクタを構成するセグメント数とそのセクタを終了し、最後のセグメント内に余ったバイトがあっても次のセクタは次のセグメントから開始するようになっている。これにより、ゾーンの先頭では必ず０フレームコードのセクタから始まるセクタを連続的に構成することができる。
【００６９】
なお、最内周のゾーンでは記録エリアとの関係で他のゾーンと同じセクタ数とならず端数がでる可能性があるが、セグメント０でセクタが終了するトラックまでを最内周のゾーンとすることによりパリティセクタの容量を容易に算出することができる。
【００７０】
そして、この光磁気ディスク２５では、上述のようにユーザゾーンが１６のゾーンに分割されており、サーボクロックＳＣＬＫのＭ／Ｎ倍されたデータクロックＤＣＬＫによって１セグメントに入るデータバイト数（ｂｙｔｅ／ｓｅｇ），セクタ当たりのセグメント数（ｓｅｇ／ｓｅｃｔｏｒ）が決定されている。すなわち、サーボエリアＡＲｓ内のサーボクロック数をＮとし、データクロックをサーボクロックのＭ／Ｎとすると、１セグメント内のサーボクロック数ＳＣＬＫｓｅｇ及びデータクロック数ＤＣＬＫｓｅｇは、
ＳＣＬＫｓｅｇ＝９Ｎ
ＤＣＬＫｓｅｇ＝ＳＣＬＫｓｅｇＭ／Ｎ
となる。なお、Ｎ，Ｍは整数である。
【００７１】
さらに上述のように１トラックは１４００セグメントに分割されており、このうち１３００個がデータセグメントＤＳＥＧであるが、上記ＧＣＰバンドにはデータを記録しないため、１３００個のデータセグメントＤＳＥＧのうち、１００セグメントをメディア情報等のＧＣＰ情報を入れておくＧＣＰセグメントＧＣＰｓｅｇとして用い、ＧＣＰセグメントＧＣＰｓｅｇは、図１４に示すように、各アドレスセグメントＡＳＥＧの中間位置にあるデータセグメントに割り当てられている。
【００７２】
そして、ＧＣＰセグメントＧＣＰｓｅｇは、図１５に示すように、サーボエリアＡＲｓとＧＣＰエリアＡＲｇｃｐとブランクＡＲｂｌｋで構成されており、上記ＧＣＰエリアＡＲｇｃｐには、上述のアドレスセグメントＡＳＥＧと同様にアクセスコードと同じ方法でグレーコード化された７個の４ビットデータ、すなわち、〔ＧＣＰＨ〕，〔ＧＣＰ２〕，〔ＧＣＰ３〕，〔ＧＣＰＬ〕とそのパリティ〔Ｐ〕からなるＧＣＰコード、さらに、ページ番号〔ＰＮＨ〕，〔ＰＮＬ〕がそれぞれグレーコード化されてピット記録されている。
【００７３】
上記ＧＣＰコードは、パリティ〔Ｐ〕を付加することによりエラー検出が可能となっている。また、ページ番号〔ＰＮＨ〕，〔ＰＮＬ〕を付加することにより、複数のメディア情報等をＧＣＰ情報として与えることができるようになっている。上記ページ番号〔ＰＮＨ〕，〔ＰＮＬ〕は、１６ページまでの場合には、〔ＰＮＨ〕と〔ＰＮＬ〕に同じ情報を記録することにより、エラーに対して強くすることができる。
【００７４】
また、上記ＧＣＰエリアＡＲｇｃｐでは、アドレスセグメントＡＳＥＧに記録されているアドレス（フレーム番号）の下１桁の数字のＧＣＰセグメントＧＣＰｓｅｇのページ番号とを一致させた状態に各ＧＣＰセグメントＧＣＰｓｅｇを配置することにより、アドレスセグメントＡＳＥＧのフレーム番号とＧＣＰセグメントＧＣＰｓｅｇのページ番号の読み違いをなくすことができる。さらに、１０ページ、すなわち、１０種類のＧＣＰ情報を１０回繰り返し記録しておくことにより、各１０種類のＧＣＰ情報の読み間違いを少なくすることができる。
【００７５】
次に、本実施例に係る光磁気ディスク記録再生装置の動作説明をする。
【００７６】
上述のように、この光磁気ディスク記録再生装置は、ＳＣＳＩバス２４を介して接続されたホストコンピュータ２３との間でコマンド及びデータの送受信を行うようになっている。
【００７７】
上記コマンド及びデータの送受信のための処理は制御回路ブロック２２のコントローラ４１により行われるようになっており、このコントローラ４１は、記録時にはホストコンピュータ２３からのデータに対してＣＲＣやエラー訂正コード等を付加してディスクドライブ２１に供給し、また、再生時にはディスクドライブ２１からのデータに対してエラー訂正を行いユーザデータ部分のみをホストコンピュータ２３に転送する。さらに、ディスクドライブ２１のサーボ系及び各ブロックに対する指令はコントローラ４１からのコマンドに対して必要な処理を行うＤＳＰ６７により行われる。
【００７８】
具体的には、上記ＤＳＰ６７は、光磁気ディスク２５がローディング機構２８によりターンテーブルに装着されると、ホストコンピュータ２３からの要求に応じて、或いは、設定された自動スピンアップモードに応じて、Ｉ／Ｏブロック６６を介してスピンドルドライバ２７にスピンドルモータ２６を回転駆動するように指示を出す。スピンドルドライバ２７は、スピンドルモータ２６が所定の回転数になるとロック信号を出力し、ＤＳＰ６７に対して回転が安定したことを知らせる。また、この間に、ＤＳＰ６７は、パルス幅変調（ＰＷＭ）回路６５を介してピックアップドライバ６４によりピックアップ２９を外周又は内周側に移動させ、ビームスポットをユーザエリア外に位置させるようにする。ユーザエリアでフォーカスの引込みを行うと感度の高いディスクが装着されていた場合、そこに記録されているデータを誤って消去してしまう虞れがあるが、ユーザエリア外の、例えば上述のＧＣＰゾーンなどでフォーカスの引込みを行うことにより、このような誤消去を防止することができる。
【００７９】
上記スピンドルモータ２６が一定回転となりピックアップ２９が例えば外周側に移動すると、上記ＤＳＰ６７は、Ｉ／Ｏブロック４３からＤ／Ａ変換器４４を介してレーザドライバ３１に対してピックアップ２９に設けられているレーザダイオード３０のバイアス電流ＬＤｂｉａｓを設定し、レーザダイオード３０のオン／オフの制御等を行うＳＴＧ５２にレーザ発光するようにコマンドを出す。
【００８０】
これにより、上記レーザダイオード３０からレーザビームが出射され上記光磁気ディスク２５に照射される。そして、レーザビームの反射光が生じ、この反射光が上記ピックアップ２９に設けられているフォトディテクタ３２で受光される。
【００８１】
上記フォトディテクタ３２は、この反射光の受光レベルに基づいて、ＭＯ信号，ＲＦ信号を形成するとともに、トラッキングエラー信号，フォーカスエラー信号及び上記レーザビームのレーザレベルを制御するためのＦＡＰＣ信号を形成し、これらをＩ／Ｖ変換ブロック３３に供給する。
【００８２】
上記Ｉ／Ｖ変換ブロック３３は、電流のかたちで供給される上記各信号を電圧のかたちに変換し、上記ＭＯ信号及びＲＦ信号をセレクタ＆クランプ回路４７に供給するとともに、上記トラッキングエラー信号，フォーカスエラー信号及びＦＡＰＣ信号を上記マルチプレクサ６１に供給する。上記マルチプレクサ６１は、上記トラッキングエラー信号，フォーカスエラー信号及びＦＡＰＣ信号を時分割的に選択し、これをＡ／Ｄ変換器６２に供給する。
【００８３】
上記Ａ／Ｄ変換器６２は、上記時分割的に供給されるトラッキングエラー信号，フォーカスエラー信号及びＦＡＰＣ信号を、後に説明するＳＰＬＬ回路４９からのサーボクロックに基づいてそれぞれデジタル化し、これらを上記Ｉ／Ｏブロック６３を介して上記ＤＳＰ６７に供給する。
【００８４】
上記ＤＳＰ６７は、上記ＦＡＰＣデータに基づいて上記レーザレベルを検出し、デジタルフィルタにより計算される光量制御データを上記Ｉ／Ｏブロック４３及びＤ／Ａ変換器４４を介してレーザドライバ３１に帰還することにより、上記レーザダイオード３０のレーザパワーが一定となるように制御する。
【００８５】
次に、上記ＤＳＰ６７は、ＰＷＭ回路６５からピックアップドライバ６４のフォーカスドライバに電流を流すことにより、ピックアップ２９のフォーカスアクチュエータを上下に駆動して、後に説明するフォーカスサーチ状態とする。このとき、光磁気ディスク２５からの反射光はフォトディテクタ３２により検出され、このフォトディテクタ３２による検出出力がＩ／Ｖ変換ブロック３３により電圧に変換されマトリクスアンプを介してフォーカスエラー信号としてマルチプレクサ６１に供給される。
【００８６】
このフォーカスエラー信号は、上記ＦＡＰＣ信号と同様にマルチプレクサ６１により時分割的に選択された信号としてＡ／Ｄ変換器６２によりデジタル化されＩ／Ｏブロック４３を介してＤＳＰ６７に供給される。
【００８７】
上記ＤＳＰ６７は、デジタル化されたフォーカスエラー信号に対してデジタル的にフィルタ処理を施して得られるフォーカス制御データを上記ＰＷＭ回路６５からピックアップドライバ６４のフォーカスドライバに帰還することにより、フォーカスサーボ用のサーボループを形成する。
【００８８】
フォーカスサーボが安定すると、上記フォトディテクタ３２による検出出力からＩ／Ｖ変換ブロック３３により得られるＲＦ信号は、その振幅がある程度一定となり、セレクタ＆クランプ回路４７により適当な電位にクランプされてからＡ／Ｄ変換器４８によりＡ／Ｄ変換される。
【００８９】
このときのサンプリングクロックは、ＳＰＬＬ４９のフリーラン状態の周波数となる。また、クランピングのタイミングパルスは、このフリーラン状態の周波数をＳＴＧ５２で所定分周した周波数となる。
【００９０】
上記ＳＰＬＬ４９は、Ａ／Ｄ変換器４８によりデジタル化されたＲＦ信号の振幅差を見ることによってピットのパターンをチェックし、上記サーボエリアのピット列と同じパターンを探す。そして、パターンが見つかると次のパターンが現れるべき位置にウインドウを開くようにクロックセレクタ５１を制御し、そこで再びパターンが一致するかを確認する。この動作がある回数連続して確認されると、ＳＰＬＬ４９がディスクに対してロックしたものと見做す。位相情報はサーボエリア内のウォブルピットの両肩の振幅差を取ることで得る。さらに２個のウォブルピット両方から得られた位相情報を加算することでトラッキング位置のよる振幅変化から生じるゲイン変動を吸収している。
【００９１】
ＳＰＬＬ４９がロックするとセグメント単位の位置が明確になり、セグメントマークピットの位置も認識できるようになり、上述の図５に示した４つの位置Ａ，Ｂ，Ｃ，Ｄにウインドウを開くようにクロックセレクタ５１を制御し、この４つの位置Ａ，Ｂ，Ｃ，ＤでサンプリングされたＲＦ信号のなかで最大振幅となる位置を探す。そして、その結果がＡであるときは、そのピットはアドレスマークであり、このセグメントがアドレスセグメントで、フレームの先頭であると認識することができる。このため、フレームカウンタをクリアすることでフレーム同期をとることができる。
【００９２】
１フレームは１４セグメントで構成されているので１４セグメント毎にウインドウを開くようにクロックセレクタ３１を制御して、アドレスマークとして連続して認識できるときフレーム同期がロックしたものと判断する。
【００９３】
フレーム同期がかかるとアドレスの記録されている位置が認識できるので、アドレスデコーダ（ＡＤＥＣ）５３によりトラックアドレス及びフレームコードのデコードを行う。このＡＤＥＣ５３では、４ビットずつグレーコード化されているパターンを上述の図６に示したグレーコードテーブルとの一致を見ることにより行われる。
【００９４】
上記ＡＤＥＣ５３では、図６に示した各位置ａ，ｂ，ｃ，ｄの再生信号をサンプリングしその振幅値が最大となる位置を差分最大値検出法（ディファレンシャルディテクション法）によって求める。同様にして、図６に示した各位置ｅ，ｆ，ｇ，ｈの再生信号をサンプリングしその振幅値が最大となる位置を求め、これらの組合せとグレーコードテーブルによりデコードを行う。上記方法によってトラックアドレス〔ＡＭ〕〜〔ＡＬ〕，パリティ〔Ｐ〕，フレームアドレス〔ＦＭ〕，〔ＦＬ〕をデコードし、結果をレジスタに格納する。
【００９５】
ＤＳＰ６７は、これらのデータが確定したときに、このレジスタを読み出すことで、ピックアップ２９の現在位置を検出することができる。ただし、４ビットのみでなく全体でグレーコード化されているので単純に一致をみるのではなく、上位４ビットのうちのＬＳＢが「１」か「０」かによって反転したテーブルとの比較を行う。
【００９６】
ここで、最初にデコードされたフレームコードをフレームカウンタにロードして、このフレームカウンタをフレーム毎にインクリメントして得られる数値と実際の再生されたフレームコードとを比較して連続して一致することを確認したときに、回転同期がかかったものする。これ以降、フレームカウンタにより得られる数値をフレームコードとしてＤＳＰ６７に返すことによって、ディフェクト等が多少あってもフレーム位置を誤認識しないようにしている。
【００９７】
また、ＡＤＥＣ５３は、ＧＣＰ情報を上記トラックアドレス及びフレームコードと同様な方法でデコードする。ただし、アドレスセグメントではなく、ＧＣＰ情報の記録されているＧＣＰセグメントＧＣＰｓｅｇでレジスタ内容を読み出すことにより、ＧＣＰエリアＡＲｇｃｐの内容を確認することができる。
【００９８】
また、ＤＳＰ６７は、先のグレーコード化されたトラックアドレスを読みながらピックアップ２９の速度を演算して、ＰＷＭ回路６５からピックアップドライバ６４のスライドドライバを介してピックアップ２９のスライドモータを制御することにより、ピックアップ９を目的のトラックに移動する。
【００９９】
そして、ピックアップ２９が目的のトラックに到着すると、トラッキング動作に入る。上述のようにトラッキングエラー信号はサーボエリアにある２つのウォブルピットに対するＲＦ信号の振幅値の差分を取ることで得られる。ＤＳＰ６７は、この値をディジタル的にフィルタ処理を施して得られるトラッキング制御データとして上記ＰＷＭ回路６５からピックアップドライバ６４のガルバノドライバ及びスライドドライバに帰還することによって、トラッキング制御用のサーボループを構成する。上記スライドドライバでスライドモータを駆動することによって低周波数成分の変動をコントロールし、さらに、上記ガルバノドライバでピックアップ２９のガルバノモータを駆動することによってレーザスポットがトラックの中心に位置するようにトラッキング制御を行う。
【０１００】
目的のセクタの先頭位置は、このようなトラッキングをかけた状態で検出する。上述のように各セクタの先頭となるセグメントとその１つ前のセグメントにはセクタマークがある。各セクタマークは、上述の図５に示した４つの位置Ａ，Ｂ，Ｃ，Ｄにウインドウを開くようにクロックセレクタ５１を制御し、この４つの位置Ａ，Ｂ，Ｃ，ＤでサンプリングされたＲＦ信号のなかで最大振幅となる位置がＢであるときにセクタの先頭セグメントであることを示し、Ｃであるときにセクタの先頭の１つ前のセグメントであることを示す。基本的にセクタの先頭となるセグメントはホストコンピュータ２３により与えられるセクタアドレスに対して物理セクタに変換してそのセクタがどのトラックの何番目のセグメントであるかを演算することによって決定されるが、上記２種類のセクタマークが同時にディフェクトになる確率は経験的に１０−１０  以下になり、これによる不良セクタの発生確率は極めて小さい。
【０１０１】
また、データクロック生成（ＤＰＬＬ）回路５０は、上記ＳＰＬＬ４９により得られるフレーム同期がかかったサーボクロックｓｃｌｋをＭ／Ｎ倍したデータクロックｄｃｌｋを生成して、このデータクロックｄｃｌｋをデータ系タイミングジェネレータ（ＤＴＧ）５５や記録再生回路５６に与える。
【０１０２】
記録時において、上記記録／再生回路５６には上記コントローラ４１を介してホストコンピュータ２３から記録データが供給される。そして、上記記録／再生回路５６は、上記記録データに対して例えば１２７周期の乱数を加算（ＥＸＯＲ）することによりＹ＝Ｘ７  ＋Ｘに従ったスクランブル処理をセクタ単位で行い、スクランブルされた記録データを上記データクロックｄｃｌｋに同期したＮＲＺＩ系列のデータに変調する。このとき、各セグメント毎に初期値を「０」とする。そして、その変調信号ｗｄａｔを磁気ヘッドドライバ３５を介して磁気ヘッド３４に供給する。上記磁気ヘッド３４は、変調信号ｗｄａｔに応じた磁界を発生し、この磁界を上記レーザダイオード１０が発光するレーザビームによりキュリー温度まで過熱された上記光磁気ディスク２５のデータエリアＡＲｄに印加することにより、ＮＲＺＩ系列のデータを記録する。
【０１０３】
また、再生時には、上記フォトディテクタ３２による検出出力からＩ／Ｖ変換ブロック３３により得られるＭＯ信号が、セレクタ＆クランプ回路５７によって適当な電位にクランプされてからＡ／Ｄ変換器４８によってＡ／Ｄ変換されて上記記録／再生回路５６に供給される。そして、上記記録／再生回路５６は、上記Ａ／Ｄ変換器４８によりデジタル化されたＭＯ信号について、パーシャルレスポンス（１，１）に合わせるディジタルフィルタ処理を施してからビタビ復号によりＮＲＺＩ系列のデータを再生する。そして、このＮＲＺＩ系列のデータをセグメント単位でＮＲＺ系に変換した後にセクタ単位でデ・スクランブルしてから再生データに変換して、この再生データを上記コントローラ４１を介してホストコンピュータ２３に転送する。
【０１０４】
このように記録データにスクランブル処理を施しておくことにより、データパターンがランダマイズされ、ビタビ復号の際に確定できないパスが続く確率が小さくなり、メモリ容量を削減することができ、かつ、ＲＯＭディスクでのピット配列がランダマイズされることにより、盤面上のピット有無の比が５０％に近づき、ディスク成形し易くすることができる。
【０１０５】
次に、本実施例に係る光磁気ディスク記録再生装置の消費電力削減動作を説明する。
【０１０６】
まず、記録或いは再生を行う場合、上記ホストコンピュータ２３は、記録或いは再生を指定するコマンドを形成し、これをＳＣＳＩバスを介してコントローラ４１に供給する。上記コントローラ４１は、上記記録或いは再生を指定するコマンドを、図１に示す入力端子１３を介してコマンド受信部１及びクロックコントローラ５に供給する。上記コマンド受信部１は、このコマンドをタイミングジェネレータ４の取り扱い可能なデータ形式に変換し、これを該タイミングジェネレータ４に供給する。
【０１０７】
例えば、１セクタが記録再生の１単位であり、図１６（ｊ）に示すように２セクタ分の記録再生を行う場合、上記コマンド受信部１は、図１６（ｈ）に示すような２セクタ分のハイレベルのコマンドを上記タイミングジェネレータ４に供給する。
【０１０８】
上記タイミングジェネレータ４は、上記ＤＰＬＬ５０からのデータクロックで動作する各種カウンタで構成されており、このカウント値に基づいて記録或いは再生を行うセクタ管理を行うとともに、図１６（ｉ）に示すように記録時にはハイレベルの記録指定データ（Ｗｒｉｔｅデータ）を、また、再生時にはハイレベルの再生指定データ（Ｒｅａｄデータ）をクロックコントローラ５に供給する。
【０１０９】
具体的には、上記タイミングジェネレータ４は、上記データクロックをカウントすることにより、図１６（ａ）に余白で示すように各セグメントの先頭にそれぞれ設けられているサーボエリアを検出し、該サーボエリアが検出される毎に、同図（ｂ）に示すようなハイレベルのサーボエリア検出データを形成するとともに、１４セグメント毎に記録されている同図（ａ）に示すアドレスセグメント（ＡＳ）を検出し、該アドレスセグメントが検出される毎にハイレベルのアドレスセグメント検出データを形成する。また、タイミングジェネレータ４は、上記データクロックをカウントすることにより、各セクタの先頭部分に設けられ、上記２Ｔパターン及び８Ｔパターンの記録再生を行うリファレンスエリアを検出し、この間ハイレベルとなるリファレンスエリア検出データを形成するとともに、記録データの記録再生を行う、図１６（ａ）に示すデータセグメント（ＤＳ）を検出し、この間ハイレベルとなるデータセグメント検出データを形成する。
【０１１０】
上記タイミングジェネレータ４の要部は、図１７に示すようになっており、上記サーボエリア検出データは、入力端子８５を介して第１のＮＯＲゲート８１及び第２のＮＯＲゲート８３に供給され、上記アドレスセグメント検出データは入力端子８６を介して該各ＮＯＲゲート８１，８３に供給される。また、上記リファレンスエリア検出データは、入力端子８７を介して第１のＡＮＤゲート８２に供給され、上記データセグメント検出データは入力端子８８を介して第２のＡＮＤゲート８４に供給される。
【０１１１】
上記第１のＮＯＲゲート８１に供給される各データは、それぞれサーボエリア或いはアドレスセグメントを示すデータであるため、これらを該第１のＮＯＲゲート８１に供給することにより、どちらかがハイレベルとなったときにその出力はローレベルとなり、どちらもローレベルとなったときにその出力はハイレベルとなる。すなわち、上記第１のＮＯＲゲート８１の出力は、（図１６（ｃ）に示すように）サーボエリア或いはアドレスセグメントのときにはローレベルとなり、これら以外の領域であるときにはハイレベルとなる。このような第１のＮＯＲゲート８１からの出力は、データイネーブルとして上記第１のＡＮＤゲート８２に供給される。
【０１１２】
上述のように、上記第１のＡＮＤゲート８２には、上記データイネーブルとは別にリファレンスエリアの間はハイレベルとなるリファレンスエリア検出データが供給されている。このため、上記第１のＡＮＤゲート８２からの出力は、図１６（ｄ）に示すようにリファレンスエリアの間はハイレベルとなる。この第１のＡＮＤゲート８２からの出力は、上記リファレンスパターンの記録再生位置を示すＲｅｆデータとして出力端子８９を介してクロックコントローラ５に供給される。
【０１１３】
一方、上記第２のＮＯＲゲート８３にも、上記サーボエリア検出データ及びアドレスセグメント検出データが供給されており、その出力は上記データイネーブルとして第２のＡＮＤゲート８４に供給される。上記第２のＡＮＤゲート８４には、上記データイネーブルとは別に、上記データセグメント検出データが供給されている。このため、この第２のＡＮＤゲート８４の出力は、図１６（ｅ）に示すように上記リファレンスエリア以外のデータセグメントの間はハイレベルとなる。この第２のＡＮＤゲート８４からの出力は、上記記録データの記録再生位置を示すＤａｔｅｎデータとして出力端子９０を介して上記クロックコントローラ５に供給される。
【０１１４】
上記クロックコントローラ５は、図１８に示すように入力端子７０を介して供給される図１６（ｆ）に示すような２Ｔパターン，同図（ｇ）に示すような８Ｔパターン，記録データ及び再生データであるデータクロック，記録時にはハイレベルとなり再生時にローレベルとなる同図（ｉ）に示すＷｒｉｔｅデータ及び上記リファレンスエリアを示すＲｅｆデータが供給される第１のＡＮＤゲート７２と、上記データクロック，Ｗｒｉｔｅデータ及び上記データセグメントを示すＤａｔｅｎデータが供給される第２のＡＮＤゲート７３とを有している。また、上記データクロック，記録時にはローレベルとなり再生時にはハイレベルとなるＲｅａｄデータ及び上記Ｒｅｆデータが供給される第３のＡＮＤゲート７４と、上記データクロック，Ｒｅａｄデータ及び上記Ｄａｔｅｎデータが供給される第４のＡＮＤゲート７５とを有している。また、記録中及び再生中にハイレベルとなるコマンドデータ，上記Ｒｅａｄデータ及びＷｒｉｔｅデータが供給されるＯＲゲート７７と、上記データクロック及び上記ＯＲゲート７７の出力が供給される第５のＡＮＤゲート７６とを有している。
【０１１５】
このような構成を有するクロックコントローラ５において、記録時には上記ＯＲゲート７７には、入力端子７７ｃを介してハイレベルのＷｒｉｔｅデータが供給されるためその出力はハイレベルとなり、第５のＡＮＤゲート７６からは、上記データクロックに応じた第１のクロック（ＤＣＫ１）が出力端子７８を介して図１に示すタイミングジェネレータ４に供給される。上記タイミングジェネレータ４は、この第１のクロックが供給されている間は動作状態となり、上述のセクタ管理を行う。
【０１１６】
次に、この記録時において、上記第１のＡＮＤゲート７２にはハイレベルのＷｒｉｔｅデータが供給されるため、その出力はＲｅｆデータがハイレベルとなる間であるリファレンスエリアにおいて、２Ｔパターン及び８Ｔパターンに応じたデータとなる。この第１のＡＮＤゲート７２からの出力は、第２のクロック（ＤＣＫ２）として出力端子７２ｃを介して図１に示す記録データ形成部２の２Ｔパターン生成部６及び８Ｔパターン生成部７に供給される。
【０１１７】
また、上記第２のＡＮＤゲート７３にもハイレベルのＷｒｉｔｅデータが供給されるため、その出力はＤａｔｅｎデータがハイレベルとなる間であるデータセグメントにおいて、記録データに応じたデータとなる。この第２のＡＮＤゲート７３からの出力は、第３のクロック（ＤＣＫ３）として出力端子７３ｃを介して上記記録データ形成部２のデータパターン生成部８に供給される。
【０１１８】
上記タイミングジェネレータ４には、入力端子１４を介して２Ｔパターン，８Ｔパターン及び記録データが供給されており、この２Ｔパターン，８Ｔパターン及び記録データをそれぞれ上記２Ｔパターン生成部６，８Ｔパターン生成部７及びデータパターン生成部８に供給する。
【０１１９】
上記２Ｔパターン生成部６は、上記第２のクロックが供給されたときのみ動作状態となり、該第２のクロックに基づいて２Ｔパターンを生成し、これをＯＲゲート９及び出力端子１５を介して上記コントローラ４１に供給する。これにより、上述のように上記光磁気ディスク５のリファレンスエリアに２Ｔパターンの記録がなされる。
【０１２０】
上記８Ｔパターン生成部７は、上記第２のクロックが供給されたときのみ動作状態となり、該第２のクロックに基づいて８Ｔパターンを生成し、これをＯＲゲート９及び出力端子１５を介して上記コントローラ４１に供給する。これにより、上述のように上記光磁気ディスク５のリファレンスエリアに８Ｔパターンの記録がなされる。
【０１２１】
上記データパターン生成部８は、上記第３のクロックが供給されたときのみ動作状態となり、該第３のクロックに基づいて記録データのデータパターンを生成し、これをＯＲゲート９及び出力端子１５を介して上記コントローラ４１に供給する。これにより、上述のように上記光磁気ディスク５のデータセグメントに記録データの記録がなされる。
【０１２２】
上述のように、上記２Ｔパターン生成部６，８Ｔパターン生成部７及びデータパターン生成部８は、第２のクロック或いは第３のクロックが供給されたときのみ動作状態となる。このため、上記２Ｔパターン生成部６或いは８Ｔパターン生成部７において２Ｔパターン或いは８Ｔパターンの生成がなされているときには、上記データパターン生成部８を停止状態とすることができ、消費電力の削減を図ることができる。
【０１２３】
また、上記２Ｔパターン生成部６にはデータクロックとして２Ｔパターンが供給されたときのみ上記第２のクロックが供給され、上記８Ｔパターン生成部７にはデータクロックとして８Ｔパターンが供給されたときのみ上記第２のクロックが供給される。このため、上記２Ｔパターンの生成時には、上記データパターン生成部８と共に８Ｔパターン生成部７を停止状態とすることができ、この逆に上記８Ｔパターンの生成時には、上記データパターン生成部８と共に２Ｔパターン生成部６を停止状態とすることができるため、消費電力の削減を図ることができる。
【０１２４】
また、上記第２のＡＮＤゲート７３に供給されるＤａｔｅｎデータは、図１６（ｅ）に示すようにアドレスセグメントのときにはローレベルとなる。このため、上記データパターン生成部８においてデータパターンを生成しているときでも、このアドレスセグメントのタイミングで第２のＡＮＤゲート７３からデータパターン生成部８に供給される第３のクロックをローレベルとすることができる。このため、データパターンの生成中においても上記アドレスセグメントのタイミングで第２のＡＮＤゲート７３を停止状態とすることができ、消費電力の削減を図ることができる。
【０１２５】
一方、この記録時には、上記第３，第４のＡＮＤゲート７４，７５には、入力端子７４ａ，７５ａを介してローレベルのＲｅａｄデータが供給される。これにより、上記第３のＡＮＤゲート７４から出力される第４のクロック（ＤＣＫ４）及び第４のＡＮＤゲート７５から出力される第５のクロック（ＤＣＫ５）はローレベルとなり、それぞれ出力端子７４ｃ，７５ｃを介してデータ再生部３に供給される。上記第４のクロックは、データ再生部３の２Ｔパターン処理部１０及び８Ｔパターン処理部１１を駆動させるためのクロックであるが、この第４のクロックがローレベルとなることにより、該２Ｔパターン処理部１０及び８Ｔパターン処理部１１が停止状態となる。また、上記第５のクロックは、データ検出部１２を駆動させるためのクロックであるが、この第５のクロックがローレベルとなることにより、該データ検出部１２が停止状態となる。
【０１２６】
従って、記録時においては、上記データ再生部３全体を停止状態とすることができ、消費電力の削減を図ることができる。
【０１２７】
次に、再生時には上記ＯＲゲート７７には、入力端子７７ｂを介してハイレベルのＲｅａｄデータが供給されるためその出力はハイレベルとなり、第５のＡＮＤゲート７６からは、上記データクロックに応じた第１のクロック（ＤＣＫ１）が出力端子７８を介して図１に示すタイミングジェネレータ４に供給される。上述のように、上記タイミングジェネレータ４は、この第１のクロックが供給されている間は動作状態となり、上述のセクタ管理を行う。
【０１２８】
次に、この再生時において、上記第３のＡＮＤゲート７４にはハイレベルのＲｅａｄデータが供給されるため、その出力はＲｅｆデータがハイレベルとなる間であるリファレンスエリアにおいて、２Ｔパターン及び８Ｔパターンに応じたデータとなる。この第３のＡＮＤゲート７４からの上記第４のクロックは、出力端子７４ｃを介して上記データ再生部３の２Ｔパターン処理部１０及び８Ｔパターン処理部１１に供給される。
【０１２９】
また、上記第４のＡＮＤゲート７５にもハイレベルのＲｅａｄデータが供給されるため、その出力はＤａｔｅｎデータがハイレベルとなる間であるデータセグメントにおいて、再生データに応じたデータとなる。この第４のＡＮＤゲート７５からの第５のクロックは、出力端子７３ｃを介して上記データ再生部３のデータ検出部１２に供給される。
【０１３０】
上記タイミングジェネレータ４には、入力端子１４を介して２Ｔパターン，８Ｔパターン及び再生データが供給されており、この２Ｔパターン，８Ｔパターン及び再生データをそれぞれ上記２Ｔパターン処理部１０，８Ｔパターン処理部１１及びデータ検出部１２に供給する。
【０１３１】
上記２Ｔパターン処理部１０は、上記第４のクロックが供給されたときのみ動作状態となり、該第４のクロックに基づいて２Ｔパターンを再生し、これをデータ検出部１２に供給する。
【０１３２】
上記８Ｔパターン処理部１１は、上記第４のクロックが供給されたときのみ動作状態となり、該第４のクロックに基づいて８Ｔパターンを再生し、これを上記データ検出部１２に供給する。
【０１３３】
上記データ検出部１２は、上記２Ｔパターン処理部１０により再生された２Ｔパターン及び８Ｔパターン処理部１１で再生された８Ｔパターンに基づいて再生データを再生し、これを出力端子１６を介してコントローラ４１に供給する。
【０１３４】
上記コントローラ４１は、上記再生データをＳＣＳＩバス２４を介してホストコンピュータ２３に供給する。これにより、上記ホストコンピュータ２３は、上記光磁気ディスク２５から再生された再生データに基づいてデータ処理を行うことができる。
【０１３５】
上述のように、上記２Ｔパターン処理部１０，８Ｔパターン処理部１１及びデータ検出部１２は、第４のクロック或いは第５のクロックが供給されたときのみ動作状態となる。このため、上記２Ｔパターン処理部１０或いは８Ｔパターン処理部１１において２Ｔパターン或いは８Ｔパターンの再生がなされているときには、上記データ検出部１２を停止状態とすることができ、消費電力の削減を図ることができる。
【０１３６】
さらに、上記２Ｔパターン処理部１０にはデータクロックとして２Ｔパターンが供給されたときのみ上記第４のクロックが供給され、上記８Ｔパターン処理部１１にはデータクロックとして８Ｔパターンが供給されたときのみ上記第４のクロックが供給される。このため、上記２Ｔパターンの再生時には、上記データ検出部１２と共に８Ｔパターン処理部１１を停止状態とすることができ、この逆に上記８Ｔパターンの再生時には、上記データ検出部１２と共に２Ｔパターン処理部１０を停止状態とすることができるため、消費電力の削減を図ることができる。
【０１３７】
一方、この再生時には、上記第１，第２のＡＮＤゲート７２，７３には、入力端子７２ａ，７３ａを介してローレベルのＷｒｉｔｅデータが供給される。これにより、上記第１のＡＮＤゲート７２から出力される第２のクロック（ＤＣＫ２）及び第２のＡＮＤゲート７３から出力される第３のクロック（ＤＣＫ３）はローレベルとなり、それぞれ出力端子７２ｃ，７３ｃを介して記録データ形成部２に供給される。上記第２のクロックは、記録データ形成部２の２Ｔパターン生成部６及び８Ｔパターン生成部７を駆動させるためのクロックであるが、この第２のクロックがローレベルとなることにより、該２Ｔパターン生成部６及び８Ｔパターン生成部７が停止状態となる。また、上記第３のクロックは、データパターン生成部８を駆動させるためのクロックであるが、この第３のクロックがローレベルとなることにより、該データパターン生成部８が停止状態となる。
【０１３８】
従って、再生時においては、上記データパターン生成部８全体を停止状態とすることができ、消費電力の削減を図ることができる。
【０１３９】
次に、記録時及び再生時以外のときは、上記ＯＲゲート７７に各入力端子７７ａ〜７７ｃを介して供給されるコマンドデータ，Ｗｒｉｔｅデータ及びＲｅａｄデータは全てローレベルとなる。このため、上記第５のＡＮＤゲート７６からタイミングジェネレータ４に供給される第１のクロック（ＤＣＫ１）はローレベルとなり、上記タイミングジェネレータ４は停止状態となる。上述のように、上記タイミングジェネレータ４は、記録データ形成部２，データ再生部３及びクロックコントローラ５を動作させるための各種クロックを形成して出力しているため、記録時及び再生時以外のときにこれを停止状態とすることにより、タイミングジェネレータ４のみならず記録データ形成部２，データ再生部３及びクロックコントローラ５をも停止状態とすることができ大幅な消費電力の削減を図ることができる。
【０１４０】
本件出願人が、このような本実施例に係る光磁気ディスク記録再生装置を試作して実験した結果、従来１Ｗの消費電力であったところを２５０ｍＷ以下に低減することができた。
【０１４１】
サンプルサーボ方式の光磁気ディスク等の円盤状記録媒体を用いると、盤面上に予め記録されているサーボパターンから安定したクロックを形成することができるため、このクロックをカウントすることにより、盤面上の記録再生位置を完全に把握することができる。このため、所望のタイミングクロック（上記第１〜第５のクロックＤＣＫ１〜ＤＣＫ５）を簡単に形成することができ、上述のような消費電力削減動作を可能とすることができる。
【０１４２】
なお、上記タイミングジェネレータ４で形成されるクロックを、記録時或いは再生時で必要なもののみ形成するように制御することにより、さらなる消費電力の削減を図ることができる。また、上記各部に供給するクロックとともに、電源供給をも停止状態とすることにより、さらなる消費電力の削減を図ることができる。
【０１４３】
最後に上述の実施例の説明では、本発明に係る円盤状記録媒体の記録装置及び再生装置を光磁気ディスク記録再生装置に適用することとしたが、これはサンプルサーボ方式に基づいて動作するものであれば、例えば磁気ディスク，コンパクトディスク，ライトワンス等の他の円盤状記録媒体の再生装置，記録装置或いは記録再生装置に適用可能であり、この他、本発明に係る技術的思想を逸脱しない範囲であれば種々の変更が可能であることは勿論である。
【０１４４】
【発明の効果】
本発明に係る円盤状記録媒体の記録装置及び再生装置は、消費電力の削減を図ることができる。
【０１４５】
また、サンプルサーボ方式の円盤状記録媒体では、盤面上に予め記録されているサーボパターンから安定したクロックを形成することができ、これに同期したカウンタを設けることにより盤面上の記録再生位置を正確に把握することができる。このため、所望のタイミング形成を簡単に行うことができ、消費電力の削減を的確に行うことができる。
【図面の簡単な説明】
【図１】本発明に係る円盤状記録媒体の記録装置及び再生装置の実施例のブロック図である。
【図２】本発明に係る円盤状記録媒体の記録装置及び再生装置を光磁気ディスク記録再生装置に適用した場合における、該光磁気ディスク記録再生装置のブロック図である。
【図３】上記光磁気ディスク記録再生装置で記録再生される光磁気ディスクのセグメント構造を示す図である。
【図４】上記光磁気ディスクにおけるサーボエリアのフォーマットを示す図である。
【図５】上記光磁気ディスクにおけるサーボエリアの第１ピットの検出の仕方を説明するための図である。
【図６】上記光磁気ディスクにおけるアドレスセグメントに記録されているアクセスコードのフォーマットを示す図である。
【図７】上記アクセスコードの一例を示す図である。
【図８】上記光磁気ディスクにおけるデータセグメントのフォーマットを示す図である。
【図９】ＲＯＭディスクにおけるサーボエリアのフォーマットを示す図である。
【図１０】上記光磁気ディスクにおけるデータセクタのリファレンスパターンを示す図である。
【図１１】上記光磁気ディスクにおけるゾーン分割の設定パラメータを示す図である。
【図１２】上記光磁気ディスクにおけるゾーン分割の状態を示す図である。
【図１３】上記光磁気ディスクにおけるデータセクタフォーマットを示す図である。
【図１４】上記光磁気ディスクにおけるＧＣＰセグメントの配置状態を図である。
【図１５】上記ＧＣＰセグメントの構造を図である。
【図１６】上記実施例に係る光磁気ディスク記録再生装置の消費電力削減動作を説明するためのタイムチャートである。
【図１７】上記光磁気ディスク記録再生装置に設けられているクロックコントローラの構成を示すブロック図である。
【図１８】上記クロックコントローラにＲｅｆデータ及びＤａｔｅｎデータを供給する回路のブロック図である。
【符号の説明】
１  コマンド受信部
２  記録データ形成部
３  データ再生部
４  タイミングジェネレータ
５  クロックコントローラ
６  ２Ｔパターン生成部
７  ８Ｔパターン生成部
８  データパターン生成部
９  ＯＲゲート
１０  ２Ｔパターン処理部
１１  ８Ｔパターン処理部
１２  データ検出部
１３  コマンドデータの入力端子
１４  データクロックの入力端子
１５  記録データの出力端子
１６  再生データの出力端子
【図１】
0003575099.tif 000002
【図２】
0003575099.tif 000003
【図３】
0003575099.tif 000004
【図４】
0003575099.tif 000005
【図５】
0003575099.tif 000006
【図６】
0003575099.tif 000007
【図７】
0003575099.tif 000008
【図８】
0003575099.tif 000009
【図９】
0003575099.tif 000010
【図１０】
0003575099.tif 000011
【図１１】
0003575099.tif 000012
【図１２】
0003575099.tif 000013
【図１３】
0003575099.tif 000014
【図１４】
0003575099.tif 000015
【図１５】
0003575099.tif 000016
【図１６】
0003575099.tif 000017
【図１７】
0003575099.tif 000018
【図１８】
0003575099.tif 000019